(57)【要約】【課題】乱視も矯正可能な接眼部用アイカップを提供する。【解決手段】本発明に係るアイカップ４は、内部に乱視矯正用レンズ６が取付けられており、乱視矯正用レンズ６により乱視も矯正した状態で手術を行うことができる。従って、術野をより鮮明に観察できるようになり、疲労が少なくなる。尚、アイカップ４には、乱視矯正用レンズ６の他に、各種光学フィルターや、視度レンズを重ねて設けても良い。また、手術顕微鏡１の他に天体望遠鏡や双眼鏡などの他の光学装置にも適用できる。【選択図】図２
2010049111.tif 000002
【特許請求の範囲】
【請求項１】
光学装置の接眼部の一端に装着される接眼部用アイカップであって、
内部に乱視矯正用レンズを取付けたことを特徴とする接眼部用アイカップ。
【請求項２】
接眼部の一端に螺合され、回転させることにより接眼部に対して伸縮自在となることを特徴とする請求項１記載の接眼部用アイカップ。
【請求項３】
前記乱視矯正用レンズは円筒状のホルダ内に保持され、該ホルダは前記接眼用アイカップに着脱自在に螺合されていることを特徴とする請求項２記載の接眼部用アイカップ。
【発明の詳細な説明】
【技術分野】
【０００１】
本発明は接眼部用アイカップに関するものである。
【背景技術】
【０００２】
望遠鏡、双眼鏡、顕微鏡などの光学装置の接眼部には、観察者の目を密着させて外光を遮断するためのアイカップが設けられている。アイカップは接眼部の一端に、例えば螺合され、回転させることにより接眼部に対して伸縮にすることができる。この種のアイカップは、目に当てる部分にラバーが設けられた概略形状で、内部には接眼レンズ、カバーガラス、視度調整レンズなどが取付けられている。
【０００３】
視度調整レンズを取付けた場合、近視や遠視などを矯正できるため、通常メガネを掛けた術者も、メガネを外して接眼部を観察することができる。メガネを外せば、外光がメガネの内面に入り込むことがなく、アイカップにより完全に外光を遮断した状態で接眼部を観察することができる（例えば、特許文献１参照）。
【特許文献１】特開２００５−１７４０２号公報
【発明の開示】
【発明が解決しようとする課題】
【０００４】
しかしながら、このような従来の技術にあっては、アイカップの内部に取付けた視度調整レンズにより、近視や遠視の矯正はできるものの、術者が乱視の場合は、それを矯正することができなかった。特に、脳神経外科手術など、微細な手術操作が要求される場合は、完全に乱視状態を矯正しないと正確な手術が行えないため、乱視の術者は仕方なく乱視矯正用のメガネを使用していた。そのため、メガネの内面に外光が入り込み、アイカップ自体の外光遮断性能が阻害されていた。
【０００５】
本発明は、このような従来の技術に着目してなされたものであり、乱視も矯正可能な接眼部用アイカップを提供するものである。
【課題を解決するための手段】
【０００６】
請求項１記載の発明は、光学装置の接眼部の一端に装着される接眼部用アイカップであって、内部に乱視矯正用レンズを取付けたことを特徴とする。
【０００７】
請求項２記載の発明は、接眼部の一端に螺合され、回転させることにより接眼部に対して伸縮自在となることを特徴とする。
【０００８】
請求項３記載の発明は、乱視矯正用レンズは円筒状のホルダ内に保持され、該ホルダは前記接眼用アイカップに着脱自在に螺合されていることを特徴とする。
【発明の効果】
【０００９】
請求項１記載の発明によれば、アイカップの内部に乱視矯正用レンズを取付けため、乱視の観察者もメガネを外した状態で観察できる。乱視の観察者もメガネを外した状態で観察できるため、外光がメガネの内面に入り込むことがなく、アイカップにより完全に外光を遮断した状態で観察することができる。
【００１０】
請求項２記載の発明によれば、アイカップを回転させることにより、接眼部に対して伸縮自在にすることができ、観察者は接眼部を最適の長さで使用することができる。
【発明を実施するための最良の形態】
【００１１】
本発明の好適な実施形態を図１〜図３に基づいて説明する。
【００１２】
手術顕微鏡１は２つの接眼部２を有し、各接眼部２の一端には雌ねじ部３ａが形成されている。この雌ねじ部３ａ内にアイカップ４の雄ねじ部３ｂが螺合されている。
【００１３】
アイカップ４は一端にフランジ５を有する筒形状で、そのフランジ部５にラバー６が設けられている。ラバー６は術者Ｍの目を当てた時の感触を良くすると共に、術者Ｍの目の回りを遮光する機能も有する。アイカップ４のフランジ５とは反対側に前記雄ねじ部３ｂが形成され、接眼部２の雌ねじ部３ａと螺合している。
【００１４】
従って、アイカップ４を回転させることにより、アイカップ４が接眼部２に対して伸縮自在となり、実質的に接眼部２の長さを調整することができる。
【００１５】
アイカップ４の内部には、雄ねじ部３ｂに対応する部分に第１接眼レンズ７と第２接眼レンズ８が設けられている。第１接眼レンズ７と第２接眼レンズ８はスペーサ９を介在することにより、両者間の間隔が正確に保たれている。第１接眼レンズ７と第２接眼レンズ８はアイカップ４の内部に挿入された後、ストッパ１０を螺合することにより固定される。
【００１６】
アイカップ４のフランジ５側には、着脱自在なホルダ１１が螺合され、そのホルダ１１に乱視矯正用レンズ１２が保持されている。アイカップ４には、別のホルダ１３も用意され、そのホルダ１３には単なるカバーガラス１４が保持されている（図３参照）。
【００１７】
術者Ｍが乱視の場合は乱視矯正用レンズ１２を有するホルダ１１をアイカップ４に装着し、乱視でない場合はカバーガラス１４を有するホルダ１３をアイカップ４に装着して使用する。
【００１８】
術者Ｍが乱視の場合、従来は乱視を矯正するために、術者Ｍはメガネを外すことが出来なかった。近視や遠視だけの場合は、メガネを外すことが出来た。なぜならば、手術顕微鏡１にはフォーカス機能があるため、そのフォーカス機能を利用して、近視や遠視等の視度は矯正することができる。しかし、乱視に関しては、フォーカス機能で対応することができないため、メガネで矯正するしか方法がなかったからである。
【００１９】
しかし、この実施形態によれば、アイカップ４が乱視矯正用レンズ１２を備えているため、術者Ｍが乱視の場合もメガネを外して手術を行うことができる。この乱視矯正用レンズ１２は、術者Ｍの専用であり、術者Ｍの乱視の程度に応じた最適の光学性能を有している。乱視矯正用レンズ１２により乱視も矯正した状態で手術を行うことができるため、術野をより鮮明に観察できるようになり、疲労が少なくなる。メガネを外すことができるため、メガネの内面に室内照明等の外光が入り込むことがなく、アイカップ４のラバー６により外光を確実に遮断することができる。
【００２０】
尚、アイカップ４には、乱視矯正用レンズ１２の他に、各種光学フィルターや、視度レンズを重ねて設けても良い。また、手術顕微鏡１の他に天体望遠鏡や双眼鏡などの他の光学装置にも適用できる。更に、接眼部は双眼でなく単眼でも良い。
【図面の簡単な説明】
【００２１】
【図１】本発明の一実施形態に係る接眼部用アイカップを示す斜視図。
【図２】アイカップを示す断面図。
【図３】カバーガラス用のホルダを示す断面図。
【符号の説明】
【００２２】
１  手術顕微鏡
２  接眼部
４  アイカップ
６  ラバー
１２  乱視矯正用レンズ
Ｍ  術者
【図１】
2010049111.tif 000003
【図２】
2010049111.tif 000004
【図３】
2010049111.tif 000005